(57)【特許請求の範囲】
【請求項１】
ハウジングと、
前記ハウジング内に設けられ水を加熱して湯にするヒーターと、
前記ハウジング内に設けられ前記ヒーターへの通電を制御する制御基板と、
前記ハウジングに設けられ、前記ハウジングの隙間から前記ハウジング内に侵入した水を受けて、前記ハウジングの背面から外部へ排出する導水路と
を備え、
前記ハウジングは、意匠面を有するカバーと、前記カバーが取り付けられるベースプレートとを備え、
前記導水路は、導水路リブを有し、前記ベースプレートに一体に設けられる手洗い用電気温水器。
【請求項２】
前記導水路は、前記ハウジングの背面に向かって下方へ傾斜する請求項１に記載の手洗い用電気温水器。
【請求項３】
前記導水路は、上方側が開口した形状である請求項１または請求項２に記載の手洗い用電気温水器。
【請求項４】
前記導水路は、前記ベースプレートの背面に開口するように設けられており、侵入した水を前記ベースプレートの背面へ排出する請求項１から請求項３のいずれか一項に記載の手洗い用電気温水器。
【発明の詳細な説明】
【技術分野】
【０００１】
本発明は、蛇口（給水栓）から吐出される水を予め温水にする手洗い用電気温水器に関する。
【背景技術】
【０００２】
従来技術の手洗い用電気温水器として、入水部と吐出部とを有する貯湯槽と、前記貯湯槽の水を加熱するヒーターと、前記貯湯槽を囲繞するケースおよびカバーと、前記ケースから突出し前記貯湯槽の入水部及び吐出部にそれぞれ連通した給水口および出湯口とを備え、前記ケースと前記カバーとの固定部に、導水溝部を設けたものがある（例えば、特許文献１参照。）。
【先行技術文献】
【特許文献】
【０００３】
【特許文献１】特開２００３−４２５６７号公報
【発明の概要】
【発明が解決しようとする課題】
【０００４】
しかしながら、特許文献１のケースとカバーとからなる２部材の固定面といった広範囲の浸水を抑制することはできるが、奥まった細かい部分に溝を設けることはできない。
【０００５】
また、奥まった細かい部分にシール材などの別部材を用いて浸水を抑制する手段もあるが、コストがかかると同時に経年劣化によりシール効果が低下し浸水する虞がある。
【０００６】
本発明は上記問題点に鑑みて成されたものであり、シール材を用いずに、被水させたくない箇所への被水を抑制することができる手洗い用電気温水器を提供することである。
【課題を解決するための手段】
【０００７】
本発明の第１の課題解決手段は、ハウジングと、前記ハウジング内に設けられ水を加熱して湯にするヒーターと、前記ハウジング内に設けられ前記ヒーターへの通電を制御する制御基板と、前記ハウジングに設けられ、前記ハウジングの隙間から前記ハウジング内に侵入した水を受けて前記ハウジングの背面に導き外部へ排出する導水路とを備え、前記ハウジングは、意匠面を有するカバーと、前記カバーが取り付けられるベースプレートとを備え、前記導水路は、導水路リブを有し、前記ベースプレートに一体に設けられる構成である。
【０００８】
また、本発明の第２の課題解決手段は、前記導水路は、前記ハウジングの背面に向かって下方へ傾斜する構成である。
【０００９】
また、本発明の第３の課題解決手段は、前記導水路は、上方側が開口した形状である構成である。
【００１０】
また、本発明の第４の課題解決手段は、前記導水路は、前記ベースプレートの背面に開口するように設けられており、侵入した水を前記ベースプレートの背面へ排出する構成である。
【発明の効果】
【００１１】
本発明の手洗い用電気温水器は、導水路をカバー内に設けて侵入した水の流れを制御することで、シール材を用いず、被水させたくない箇所への被水を抑制することが可能となる。さらに、シール材を用いないため、コストを下げると同時に経年劣化によるシール効果の低下の虞も防止できる。
【００１２】
また、本発明の手洗い用電気温水器は、導水路はカバー背面に向かって下方へ傾斜するため、重力により導水路から背面に水を誘導できる。
【００１３】
また、本発明の手洗い用電気温水器は、導水路は上方側が開口した形状であるため成型が容易である。
【００１４】
また、本発明は、意匠面ではなく、ベースプレートの背面に開口する導水路から浸入した水がベースプレートの背面へ排出されるため、意匠性を損なうことなく、侵入した水の排出が可能となる。
【図面の簡単な説明】
【００１５】
【図１】手洗い用電気温水器を洗面台の下に設置した説明図である。
【図２】手洗い用電気温水器の内部説明図である。
【図３】手洗い用電気温水器を左後方から見た斜視説明図である。
【図４】カバーを外した手洗い用電気温水器を後方から見た部分拡大図である。
【図５】カバーを外した手洗い用電気温水器を上方から見た部分拡大図である。
【図６】カバー組み付け前の出湯口部分の拡大斜視図である。
【図７】図６の組み付け後のＡ−Ａ断面の要所部分拡大図である。
【図８】カバーを外した手洗い用電気温水器の第３の導水路周辺の部分拡大図である。
【発明を実施するための形態】
【００１６】
以下に本発明の実施形態を図面に基づいて詳細に説明する。
【００１７】
図１は、本発明の手洗い用電気温水器１を洗面台２の下に設置した説明図である。水は、洗面台２の下部にある水道３から止水栓４を介して手洗い用電気温水器１の入水口５に水道圧によって圧送導入される。水は、手洗い用電気温水器１の中で加熱されて湯となり、水道圧によって出湯口６から蛇口７へ送出される。手洗い用電気温水器１には、電源コード８とアースコード８ａが接続されている。電源コード８とアースコード８ａには、漏電ブレーカ付きの電源プラグ８ｂが接続されている。電源プラグ８ｂは、洗面台２の下部にあるコンセント９に接続され、電源コード８を介して手洗い用電気温水器１へ電力を供給する。アースコード８ａは、コンセント９のアース端子または水道管に接続される。また、手洗い用電気温水器１は意匠面１０ａを有する樹脂製のカバー１０（ハウジング）で覆われている。意匠面１０ａは、使用者が手洗い用電気温水器１を視認できる面であり、手洗い用電気温水器１を取り付けた際の表面及び側周面である。
【００１８】
さらに、洗面台２は、台所用流し台と云った他の水場で代用することも可能である。なお、洗面台２の下部にコンセント９が無い場合は、延長コードを使用して洗面台の近くのコンセントから手洗い用電気温水器１へ電力を供給することも可能である。
【００１９】
そして、蛇口７に設けられた人体検知センサ（図示せず）の信号に基づいて、手洗い用電気温水器１内の制御基板１７（図２参照）は、熱交換器１５（図２参照）等を動作させる。
【００２０】
図２は、手洗い用電気温水器１の内部説明図である。カバー１０（図３参照）と、基板ケース２０（図５参照）と、を取外した状態の手洗い用電気温水器１は、樹脂製のベースプレート１１（ハウジング）を備える。ベースプレート１１に水道３からの水を取入れるため、水道３には入水口５の一端が接続され、入水口５の他端には流量バルブ５ａの一端が接続される。流量バルブ５ａの他端には、給水ホース１２の一端が接続され、給水ホース１２の他端には流量検知器１３の一端が接続される。流量検知器１３の他端には吐水ホース１４の一端が接続され、吐水ホース１４の他端には熱交換器１５（ヒーター）の一端が接続される。熱交換器１５の他端には出湯ホース１６の一端が接続され、出湯ホース１６の他端には出湯口６の一端が接続される。そして出湯湯口６から蛇口７方向へと湯が送出される。ベースプレート１１には、水の通水または止水と水や湯の温度を検知して熱交換器１５への通電を制御する制御基板１７が基板ケース２０に入れられた状態で取付けられている。制御基板１７には、電源コード８とアースコード８ａを介して１５ｍＡの漏電を検知して電源をＯＦＦにする電源プラグ８ｂが取付けられている。また、流量バルブ５ａは、取入れた水の中の異物を濾過する図示しないストレーナーを装着するストレーナー孔１８を有する。そして、熱交換器１５の出力は１２４０Ｗ、水の流量は１０００ｃｍ３／ｍｉｎ、湯の調整温度は３９．５℃の定格である。必要に応じ、熱交換器１５の出力、水の流量、湯の調整温度を変更することは可能である。
【００２１】
図３は、手洗い用電気温水器１を左後方から見た斜視説明図である。ベースプレート１１は、背面に手洗い用電気温水器１を壁等に取り付ける取付面１１ａ（背面）を有しており、壁などに取り付ける際は、取付具１１ｂを壁に固定し、取付具１１ｂにベースプレート１１の取付面１１ａを引っ掛ける。更に、ベースプレート１１は、取付面１１ａと反対側に、図２に示すような流量バルブ５ａや熱交換器１５等を支持している。カバー１０は、これら部材を覆うようにベースプレート１１に取り付けられる。カバー１０をベースプレート１１に取り付けた際、カバー１０とベースプレート１１と入水口５との周囲の合わせ面に第１の隙間２１が生じる。そして、ベースプレート１１は、第１の隙間２１の下方向に設けられ、ベースプレート１１の背面に開口する第１の導水路２２を有する。また、カバー１０とベースプレート１１との出湯口６の周囲の合わせ面に第２の隙間２３が生じる。そして、ベースプレート１１は、第２の隙間２３の下方向に設けられ、ベースプレート１１の背面に開口する第２の導水路２４を有する。カバー１０とベースプレート１１とのストレーナー孔１８の周囲の合わせ面に第３の隙間２５が生じる。そして、ベースプレート１１は、第３の隙間２５の下方向に設けられ、ベースプレート１１の背面に開口する第３の導水路２６を有する。
【００２２】
図４は、カバー１０を外した手洗い用電気温水器１を後方から見た部分拡大図である。第１の導水路２２は、ベースプレート１１の背面で入水口５の下方向で左右に１つずつ開口される。第１の導水路２２は、図３に示されているような前から後に向けて下方向に傾斜する第１の導水路底面２２ａと、第１の導水路底面２２ａから上方向に突接する第１の導水路リブ２２ｂとを有する。第２の導水路２４は、ベースプレート１１の背面で出湯口６の下方向で左右に１つずつ開口される。第２の導水路２４は、図３に示されているような前から後に向けて下方向に傾斜する第２の導水路底面２４ａと、第２の導水路底面２４ａから上方向に突接する第２の導水路リブ２４ｂとを有する。
【００２３】
図５は、カバー１０を外した手洗い用電気温水器１を上方から見た部分拡大図である。第１導水路２２は、ベースプレート１１上面に入水口５の後方向に左右に１つずつ開口するよう設けられ、第１の導水路２２の最前部に第１の導水路リブ２２ｂを有し、第１の隙間２１から第１導水路２２に侵入した水を各々でベースプレート１１の背面に排出できる構造である。第２の導水路２４は、ベースプレート１１上に出湯口６の後方向に左右に１つずつ開口するよう設けられ、第２の導水路２４の最前部に第２の導水路リブ２４ｂを有し、第２の隙間２３から第２導水路２４に侵入した水を各々でベースプレート１１の背面に排出できる構造である。
【００２４】
図６は、カバー１０をベースプレート１１に組み付ける前の出湯口６部分の拡大斜視図である。出湯口６が設けられるベースプレート１１の上面には、カバー１０との嵌合部１１ｃよりも高い位置にベースプレート側意匠面３０ａを有し、第２の導水路２４を左右方向に隔てるように設けられた凸部３０を形成されている。凸部３０のベースプレート側意匠面３０ａは、第２の導水路２４の第２の導水路底面２４ａの開口部の幅よりも短い左右方向に延在する延長部３０ｂを有している。カバー１０との嵌合部１１ｃの第２の導水路２４を形成する端面１１ｄと延長部３０ｂの端面との間には隙間が設けられている。また、第２の導水路２４の開口及び第２の導水路２４の空間は、第２の導水路底面２４ａと第２の導水路２４を形成する端面１１ｄと延長部３０ｂを有する凸部３０ａとによって形成されている。
【００２５】
出湯口６は、凸部３０ａの意匠面３０ａと略同一面となり、出湯口６の周方向に延出する出湯口意匠部６ａが設けられている。さらに、出湯口６は、出湯口意匠部６ａよりも径が小さく下方に設けられた出湯口腰部６ｂを覆うシール部材（図示せず）を介して第２の導水路２４の第２の導水路リブ２４ｂと凸部３０ａの一部とが接している。
【００２６】
また、カバー１０には、出湯口意匠部６ａの周端部と接する周縁部１０ｅを有し、周縁部１０ｅの半円部分の両端部からカバー１０の端部へ向けて延びる直線の縁部１０ｆが設けられている。更に、カバー１０の周縁部１０ｅ及び縁部１０ｆには、出湯口意匠部６ａよりも下方に位置するように設けられた周縁部１０ｅ及び縁部１０ｆに沿って内側（周縁部１０ｅ及び縁部１０ｆによって形成される溝部分の内側）に延出するカバー導水路１０ｇが設けられている。この縁部１０ｆに設けられたカバー導水路１０ｇの端部間の距離は、出湯口意匠部６ａの直径よりも短く、出湯口腰部６ｂの直径よりも長く設定されることで、カバー導水路１０ｇの幅も設定される。カバー導水路１０ｇは、周縁部１０ｅからカバー端部に向けて下方へ傾斜している。縁部１０ｆ部分のカバー導水路１０ｇは、先端がカバー１０の端部に向って対向する両カバー導水路１０ｇの端面の直線距離が長くなるようにテーパ状のテーパ部１０ｈが形成されている。
【００２７】
ベースプレート１１に設けれた凸部３０の延長部３０ｂは、出湯口意匠部６ａと接する部分からベースプレート１１の取付面１１ａに向けて厚さが増すように形成されている。このため、延長部３０ｂには傾斜が設けれており、カバー導水路１０ｇがテーパ部１０ｈが設けられているため、カバー導水路１０ｇの傾斜及び第２の導水路２４の傾斜からカバー１０をベースプレート１１への組み付けが容易となっている。また、組み付けた際に、出湯口意匠部６ａとカバー１０の周縁部１０ｅ及び縁部１０ｆと凸部３０の延長部３０ｂの左右方向端面との間に第２の隙間２３が形成される。
【００２８】
図７は、図６の組み付け後のＡ−Ａ断面の要所部分拡大図である。カバー１０をベースプレート１１に組み付けた際に、カバー導水路１０ｇの表面が、出湯口意匠部６ａ及びベースプレート１１の凸部３０の延長部３０ｂと対向する面が重合し、カバー１０の端部側に向けて一部が第２の導水路２４の第２の導水路底面２４ａと重合する。図６示されている第２の導水路リブ２４ｂの周辺とカバー導水路１０ｇ及び出湯口６との間は、出湯口腰部６ｂに設けられたシール部材によって封止されている。
【００２９】
上記図６及び図７の構成は、給水口５に関しても同様とする。
【００３０】
図８は、カバー１０を外した手洗い用電気温水器１の第３の導水路２６周辺の部分拡大図である。第３の導水路２６は、ベースプレート１１の内側の第３の隙間２５の下方向に設けられる。第３の導水路２６は、前から後に向けて下方向に傾斜する第３の導水路底面２６ａと、第３の導水路底面２６ａから右上方向に延設する第３の導水路リブ２６ｂを有する。第３の導水路２６は、ベースプレート１１の背面に開口する排出口２６ｃに繋がるよう設けられ、第３の隙間２５から第３導水路２６に侵入した水を排出口２６ｃからベースプレート１１の背面に排出できる構造である。また、第３導水路２６のベースプレート１１の内側端面（前方向側の端面）には、第３の導水路リブ２６ｂが設けられており、傾斜とは反対側に水が落ちるのを抑制する。
【００３１】
本発明の実施形態の動作について説明する。例えば手洗い用電気温水器１を清掃する際や、洗面台２や水道３といった箇所から漏水した際、手洗い用電気温水器１が結露した際、カバー１０が被水する場合がある。カバー１０が被水すると、第１の隙間２１、第２の隙間２３、第３の隙間２５からカバー１０内に水が浸入することがある。第１の隙間２１から侵入した水は、カバー導水路（図示せず）に滴下し、カバー導水路の傾斜に伴ってベースプレート１１の背面に排出される。また、カバー導水路から第１の導水路底面２２ａに滴下する。第１の導水路底面２２ａに滴下した水は、第１の導水路リブ２２ｂでカバー１０内部への流入を阻まれ、第１の導水路底面２２ａの傾斜に伴ってベースプレート１１の背面に排出される。第２の隙間２３から侵入した水は、カバー導水路１０ｇに滴下し、カバー導水路１０ｇの傾斜に伴ってベースプレート１１の背面に排出される。また、カバー導水路１０ｇから第２の導水路底面２４ａに滴下した水は、第２の導水路リブ２４ｂでカバー１０内部への流入を阻まれ、第２の導水路底面２４ａの傾斜に伴ってベースプレート１１の背面に排出される。第３の隙間２５から第３の導水路２６に侵入した水は、第３の導水路底面２６ａに滴下する。第３の導水路底面２６ａに滴下した水は、第３の導水路リブ２６ｂでカバー１０内部への流入を阻まれ、第３の導水路底面２６ａの傾斜に伴ってベースプレート１１の背面に排出される。
【００３２】
本発明の実施形態の効果について説明する。第１の導水路２２と、第２の導水路２４と、第３の導水路２６と、をベースプレート１１に設けて、第１の隙間２１と、第２の隙間２３と、第３の隙間２５と、から侵入した水の流れを制御することで、シール材を用いず、流量検知器１３や熱交換器１５、制御基板１７といった被水させたくない箇所への被水を抑制することが可能となる。さらに、第１の導水路２２と、第２の導水路２４と、第３の導水路２６と、はベースプレート１１と一体に設けられシール材を用いないため、コストを下げると同時に経年劣化によるシール効果の低下の虞も防止できる。
【００３３】
第１の導水路２２と、第２の導水路２４と、第３の導水路２６と、はベースプレート１１の背面に向かって下方へ傾斜するため、重力により第１の導水路２２と、第２の導水路２４と、第３の導水路２６と、からベースプレート１１の背面に水を誘導できる。
【００３４】
第１の導水路２２と、第２の導水路２４と、第３の導水路２６と、は上方側が開口した形状であるため成型が容易である。
【００３５】
ベースプレート１１の背面（手洗い用電気温水器１を壁等に取り付ける取付面１１ａ）に水を排出するため、設置時に水が排出されている状態や水垢等の汚れがカバー１０側から見えず、使用者に不快感を与えることを抑制する。
【００３６】
第１の導水路２２、第２の導水路２４、第３の導水路２６に侵入した水は、上方に突出する第１の導水路リブ２２ｂ、第２の導水路リブ２４ｂ、第３の導水路リブ２６ｂによりカバー１０内部への流入を阻まれ、ベースプレート１１の背面に排出される。
【００３７】
ベースプレート１１は樹脂製であるため、カバー１０から侵入した水をベースプレートの１１の背面へ排出してもさび等の発生を抑制することができる。
【００３８】
カバー１０のカバー導水路１０ｇと第２の導水路２４ａ（第１の導水路２２ａ）とが重合しているため、よりハウジング内への水の侵入を抑制することが可能である。
【００３９】
なお、本発明は、上記実施形態に限定されるものではなく、以下に示す態様に変更しても良い。
【００４０】
・第１の導水路２２と、第２の導水路２４と、はベースプレート１１上面に２本ずつ設けられているが、第１の導水路２２同士２本、第２の導水路２４同士２本が連通されても良い。
【００４１】
・第３の導水路２６は、上方側と前方側とが開口した形状であるが、前方側にリブを設けても良い。
【符号の説明】
【００４２】
１    手洗い用電気温水器
１０  カバー（ハウジング）
１１  ベースプレート（ハウジング）
１５  熱交換器（ヒーター）
１７  制御基板
２０  基板ケース
２２  第１の導水路（導水路）
２４  第２の導水路（導水路）
２６  第３の導水路（導水路）
【図１】
0005978696.tif 000002
【図２】
0005978696.tif 000003
【図３】
0005978696.tif 000004
【図４】
0005978696.tif 000005
【図５】
0005978696.tif 000006
【図６】
0005978696.tif 000007
【図７】
0005978696.tif 000008
【図８】
0005978696.tif 000009